(57)【要約】      （修正有）【課題】ねじ込み以外の手段によって、握り棒と脚管の接続を行う把持具を提供する。【解決手段】木製無垢の握り棒１１の両端にエルボ状金属製脚管１２を接続した把持具において、握り棒の端部１１ａにその径方向に長い板断面の切り込み１３を軸方向に形成し、脚管１２には切り込み１３に嵌入する板断面の係止片１４を設け、その係止片１４は金属製有底の円環状固定部材１５に設けられ、固定部材は脚管１２内面にその底１５ａ側から嵌め込んで溶接する。切り込み１３への係止片１４の嵌入によって、握り棒と脚管のその軸周りの相互回転が阻止され、握り棒と脚管の両端面の当接度合いが予め設定することにより、その設定の取付長さとなる構成とした。【選択図】図５
2017227107.tif 000002
【特許請求の範囲】
【請求項１】
無垢の握り棒（１１）の両端にエルボ状脚管（１２）を接続した把持具（１０）において、前記握り棒（１１）の端部（１１ａ）にその径方向に長い板断面の切り込み（１３）を軸方向に形成し、脚管（１２）には前記切り込み（１３）に嵌入される板状係止片（１４）を有する有底の環状片からなる固定部材（１５）を固定し、前記係止片（１４）を前記切り込み（１３）に嵌入して前記握り棒（１１）の端部（１１ａ）と脚管（１２）の端部（１２ａ）とを当接して接続されており、
上記固定部材（１５）は、脚管（１２）内面にその底（１５ａ）側から嵌め込んで固定され、上記係止片（１４）は固定部材（１５）の底（１５ａ）から突出して設けられていることを特徴とする把持具。
【請求項２】
無垢の握り棒（１１）の両端にエルボ状脚管（１２）を接続した把持具（１０）において、前記握り棒（１１）の端部（１１ａ）にその軸方向の係止孔（１３ａ）を複数形成し、脚管（１２）には前記係止孔（１３ａ）にそれぞれ嵌入される係止杆（１４ａ）を有する有底の環状片からなる固定部材（１５）を固定し、前記各係止杆（１４ａ）を前記各係止孔（１３ａ）に嵌入して前記握り棒（１１）の端部（１１ａ）と脚管（１２）の端部（１２ａ）とを当接して接続されており、
上記固定部材（１５）は、脚管（１２）内面にその底（１５ａ）側から嵌め込んで固定され、上記各係止杆（１４ａ）は固定部材（１５）の底（１５ａ）から突出して設けられていることを特徴とする把持具。
【請求項３】
無垢の握り棒（１１）の両端にエルボ状脚管（１２）を接続した把持具（１０）において、前記握り棒（１１）の端部にその径方向に長い板断面の切り込み（１３）を軸方向に形成し、脚管（１２）には前記切り込み（１３）に嵌入される板状係止片（１４）を設け、その係止片（１４）を前記切り込み（１３）に嵌入して前記握り棒（１１）の端部（１１ａ）と脚管（１２）の端部（１２ａ）とを当接して接続されており、
上記係止片（１４）は、前記脚管（１２）内面に固定された固定部材（１５）から突出して設けられており、
上記固定部材（１５）は環状片からなって、その環状片（１５）は脚管（１２）内面に嵌め込んで固定され、上記係止片（１４）と環状固定部材（１５）は、一枚片を湾曲させて形成されていることを特徴とする把持具。
【請求項４】
上記固定部材（１５）はその上縁でもって脚管（１２）の内面に溶接により固定されていることを特徴とする請求項１乃至３の何れか一つに記載の把持具。
【請求項５】
請求項１乃至４の何れか一つに記載の把持具の係止片（１４）又は係止杆（１４ａ）を有する固定部材（１５）の脚管（１２）への取付治具（２０）であって、端部（２０ａ）が、上記握り棒（１１）の切り込み（１３）又は係止孔（１３ａ）を有する小径端部（１１ａ）と同一形状をして前記切り込み（１３）又は係止孔（１３ａ）と同様に上記軸方向に長い切り込み（２３）又は係止孔を有しており、その長い切り込み（２３）又は係止孔の前記軸方向の長さ（ｔ２）は握り棒端部（１１ａ）の軸方向の長さ（ｔ１）及び前記握り棒（１１）の切り込み（１３）又は係止孔（１３ａ）の前記軸方向の長さ（ｔ３）より短く設定されて、前記長い切り込み（２３）又は係止孔に前記係止片（１４）又は係止杆（１４ａ）を嵌入して前記固定部材（１５）を上記脚管（１２）に嵌め込むことを特徴とする取付治具。
【発明の詳細な説明】
【技術分野】
【０００１】
この発明は、手摺り、ドアハンドル等に使用される把持具及びその把持具の係止片の取付治具に関するものである。
【背景技術】
【０００２】
この種の把持具として、木製の握り棒の両端にエルボ状（Ｌ字状）の脚材を、その脚材内に前記握り棒の端部を嵌入して接続したものが知られている。従来、その握り棒と脚材との接続は、握り棒及び脚材が無垢の木材から成る場合は、その握り棒の端部と脚材の端部の間にねじ棒（ハンガーボルト）をねじ込んだり、脚材が管材の場合は、その脚管内に無垢のスペーサを介在固定し、その握り棒の端部と前記スペーサとの間にねじ棒をねじ込んで行ったりしている。
他の手摺りの連結金具としては、一方の手摺部材に径方向に長い板断面の収容孔を形成し、他方の手摺部材には前記収容孔に収容可能な板状の係合突起を設け、その係合突起を収容孔に挿入して両手摺部材の端部を当接して接続するものがある（特許文献１段落００１３〜同００１９，図１、図２等参照）。
【０００３】
また、握り棒と脚材をその端部をねじ合わせて接続したものもある。このとき、ねじ合わせを、握り棒の端面にねじ軸を固定し、そのねじ軸を脚材端部のねじ孔にねじ込んで行った構造がある（特許文献２図１〜図４参照）。
さらに、角材の端部を握り棒及び脚材のそれぞれの角孔に嵌入し、その角材によって握り棒と脚材を連結した構造もある（特許文献２図８、図９参照）。
また、握り棒及び脚材が筒状で、その両者の接続端部に無垢の固定部材を嵌め込み固定し、その両固定部材の一方に、二股状の突片、他方にその突片の二股間に嵌る突片を設け、その両突片の嵌合によって握り棒と脚材を連結する構造もある（特許文献３段落００１９〜同００２２、図３等参照）。
【先行技術文献】
【特許文献】
【０００４】
【特許文献１】特開平８−１４４４６２号公報
【特許文献２】実開平７−２５１２７号公報
【特許文献３】特開２００５−２５３５６４号公報
【発明の概要】
【発明が解決しようとする課題】
【０００５】
上記従来においては、主として、握り棒と脚材を何れもねじ棒（ハンガーボルト）で接続しているため、そのねじ棒のねじ込み度合いによって、握り棒と脚材の両端面の当接度合いが変化する。このため、握り棒両端の脚材の取付面が面一とし難く、面一とすると、その両端面間に隙間が生じて見栄えが悪くなったり、両取付面の間隔（ピッチ）Ｌ（本願図１参照）がバラツク恐れが生じたりする。例えば、ドアの場合、その両側面に把持具を取付るため、そのピッチＬが異なると、ドア両側面の脚材が同一位置とならず、その取付用ボルト等の締結具１８等による取付が困難になる場合がある（同図１参照）。
また、角材と角孔による握り棒と脚材の連結は、その角孔の形成が困難であるうえに、角材（角孔）がほぼ断面正方形のため、その嵌入部分の耐ねじり力が弱く、耐久性に劣る場合がある。
【０００６】
また、突片と収容孔（二股間）との嵌合による連結は、その連結構造が複雑であって（特許文献３図３参照）、製作性が悪く高価な物となっているとともに現場における作業性が悪い。
【０００７】
この発明は、以上の実状の下、ねじ込み以外の嵌合手段によって、製作性が良く、かつ作業性の良い、握り棒と脚管の接続構造を得ることを課題とする。
【課題を解決するための手段】
【０００８】
上記課題を達成するため、この発明は、まず、握り棒の端部に、その径方向に長い板断面の切り込みを軸方向に形成したり、同軸方向の係止孔を複数形成したりし、その切り込みに板断面の板状係止片を嵌入したり、又は各係止孔に係止杆を嵌入したりすることによって、握り棒に脚管を接続するようにしたのである。
その切り込みは板断面（幅が狭い長方形断面）であり、係止孔は棒状であるため、その幅（径）のドリル等によって所要長さ（幅の直交方向の長さ）を容易に得ることができるため、その製作も容易である。
【０００９】
この接続構成では、切り込み（係止孔）への係止片（係止杆）の嵌入（差し込み）のみによって、握り棒と脚管のその軸周りの相互回転が阻止され、握り棒とその端の両脚管の両端面の当接度合い（把持具の長さ）が予め設定されておれば、その設定の取付長さとなる。
また、上記切り込み（係止孔）への係止片（係止杆）の嵌入による握り棒と脚管のその軸周りの相互回転が阻止状態において、握り棒の両端の脚管のドア等への取付面（端面）が面一になるように、前記切り込み（係止孔）への係止片（係止杆）の嵌入位置を設定しておけば、握り棒に脚管を接続すると、握り棒の両端の脚管のドア等への取付面（端面）が自然と面一となる。さらに、板断面による切り込みと係止片の嵌入、又は複数の係止孔と係止杆の嵌入によるため、その相互回転阻止力も十分に得ることができ、高い耐ねじり力を有する接続構造となる。
【００１０】
つぎに、この発明は、係止片又は係止杆を脚管内面に固定の環状固定部材の底に突出して設け、その環状固定部材は脚管内面に嵌め込み固定することとしたのである。
環状固定部材は底の存在によって保形性が出て剛性が高まり、環状であることによって脚管内面にピッタリ嵌め得るため、固定部材は脚管に安定して固定し得る。このため、握り棒と脚管の接続状態は安定したものとなる。
なお、「環状」とは、完全な円状でなくても、上記脚管に安定して固定し得る限りにおいて、周囲が切り欠いた円弧状でも良い（図９（ａ）参照）。
【００１１】
この発明の具体的な構成としては、無垢の握り棒の両端にエルボ状脚管を接続した把持具において、前記握り棒の端部にその径方向に長い板断面の切り込みを軸方向に形成し、又はその軸方向の係止孔を複数形成し、脚管の端部には切り込みに嵌入される板状係止片を設け、又は各係止孔にそれぞれ嵌入される係止杆を設け、その係止片又は係止杆を切り込み又は係止孔に嵌入して握り棒の端部と脚管の端部とが当接して接続されており、固定部材は、有底の環状片からなって、脚管内面にその底側から嵌め込んで固定され、係止片又は係止杆は固定部材の底から突出して設けられている構成を採用することができる。
【００１２】
この発明の具体的な他の構成としては、無垢の握り棒の両端にエルボ状脚管を接続した把持具において、前記握り棒の端部にその径方向に長い板断面の切り込みを軸方向に形成し、脚管には前記切り込みに嵌入される板状係止片を設け、その係止片を前記切り込みに嵌入して握り棒の端部と脚管の端部とを当接して接続されており、前記係止片は、脚管内面に固定された固定部材から突出して設けられており、前記固定部材は環状片からなって、その環状片は脚管内面に嵌め込んで固定され、係止片と環状固定部材は、一枚片を湾曲させて形成されている構成を採用することができる。
【００１３】
上記各構成において、固定部材の脚管内面への固定は、ビス止めや溶接、接着等の種々の手段が考えられるが、固定部材をその上縁でもって脚管内面に溶接すれば、脚管の開口から近い位置での溶接作業となるため、その作業性が良い。
【００１４】
また、上記係止片又は係止杆を有する固定部材の脚管への取付治具であって、端部が、握り棒の切り込み又は係止孔を有する小径端部と同一形状をして前記切り込み又は係止孔と同様に上記軸方向に長い切り込み又は係止孔を有しており、その長い切り込み又は係止孔の前記軸方向の長さは握り棒端部の軸方向の長さ及び握り棒の切り込み又は係止孔の前記軸方向の長さより短く設定されて、前記長い切り込み又は係止孔に前記係止片又は係止杆を嵌入して前記固定部材を脚管に嵌め込む構成を採用することができる。
【００１５】
この取付治具は、長い切り込み又は係止孔に係止片又は係止杆を嵌入して固定部材を脚管に嵌入すると、治具の小径端部の端面が脚管の端面に当接した際、長い切り込み又は係止孔の軸方向の長さが握り棒端部の軸方向の長さ及び握り棒の切り込み又は係止孔の軸方向の長さより短く設定されているため、係止片又は係止杆の先端は脚管の端面より奥に位置する（没した状態となる）。このため、係止片又は係止杆を握り棒の切り込み又は係止孔に嵌入して握り棒の端部と脚管の端部とを接続した際、係止片又は係止杆は握り棒の切り込み又は係止孔内に収まって（切り込み又は係止孔の奥壁に至らず）、両端部は当接して隙間が生じることがない。
【発明の効果】
【００１６】
この発明は、以上のように、切り込みへの係止片の嵌入、又は係止孔への係止杆の嵌入によって握り棒と脚管との接続を行うようにしたので、把持具の取付が簡単になるとともに、取付ピッチがずれることもなくなる。
【図面の簡単な説明】
【００１７】
【図１】この発明に係る把持具の一実施形態のドアへの取付状態説明図
【図２】同実施形態の要部分解斜視図
【図３】同実施形態の固定部材の分解斜視図
【図４】（ａ）は同固定部材の一部切断正面図、（ｂ）は同固定部材の下方からの斜視図
【図５】同実施形態の要部拡大切断正面図
【図６】同要部拡大切断側面図
【図７】同実施形態の取付作用図
【図８】他の実施形態を示し、（ａ）は要部切断図、（ｂ）は（ａ）のＡ−Ａ線断面図
【図９】同実施形態の固定部材を示し、（ａ）は斜視図、（ｂ）は製作説明図
【図１０】同実施形態の取付作用図
【図１１】さらに他の実施形態の要部切断図
【図１２】同実施形態の固定部材を示し、（ａ）は一部切欠き斜視図、（ｂ）は（ａ）の下方からの斜視図
【図１３】固定部材の他例の斜視図
【図１４】固定部材のさらに他例の斜視図
【発明を実施するための形態】
【００１８】
この発明に係る把持具の一実施形態を図１乃至図６に示し、この実施形態の把持具１０はドアＤに採用した例である。
この把持具１０は、従来と同様に、木製無垢の丸棒状握り棒１１の両端にエルボ状の金属製（例えばＳＵＳ３０４等）円筒状脚管１２を、その脚管１２内に握り棒１１の端部１１ａを嵌入して接続する構成である。
【００１９】
握り棒１１の両端部１１ａは、図２、図５、図６に示すように、他の部分に対して段部１１ｂを持って小径に形成されて、脚管１２の端部１２ａの内面にその端部１１ａが嵌入し、その脚管端部１２ａの端面が端部１１ａの立ち上がり段部１１ｂに当接する。
握り棒１１の端部１１ａにはその径方向に長い板断面の切り込み（スリット）１３が軸方向に形成されており、その切り込み１３は段部１１ｂの位置近くまで至っている（図６の長さｔ３）。その切り込み１３に脚管１２の係止片１４が嵌る。この実施形態においては、切り込み１３は端部１１ａの端面直径方向に形成されて、端部１１ａの外周面に開口している。このため、この切り込み１３は、端部１１ａの端面からその軸方向に切削具を移動させることによって容易に形成できる。
【００２０】
係止片１４は、ＳＵＳ３０４等のばね鋼等の金属製からなり、図２に示すように、円筒状固定部材１５に設けられている。固定部材１５もＳＵＳ３０４等のばね鋼等の金属製からなり、プレス加工によってカップ状に形成され、その底１５ａの直径方向に係止片の嵌入孔１６が形成されている。この嵌入孔１６に前記係止片１４の端部を嵌めて溶接ｓすることによって（図４（ｂ）、図５参照）、係止片１４がその底１５ａから固定部材１５内に突出している。
その係止片１４の突出長さ（上縁）は、固定部材１５の上縁と同程度とし、下記取付治具２０によって固定部材１５を脚管１２に嵌めた際、脚管１２の開口縁から固定部材１５の上縁が大きく離れないように適宜に設定する。大きく離れると、上記溶接ｓの作業が煩雑になるからである。
【００２１】
つぎに、この切り込み１３と係止片１４による握り棒１１と脚管１２との接続を、図４〜図７を参照して説明すると、まず、図７（ａ）に示すように、脚管１２に係止片１４を有する固定部材１５を取り付ける治具２０を用意する。その取付治具２０は、その端部２０ａが、握り棒１１の切り込み１３を有する端部１１ａと同一形状（段部２０ｂを有して同一径、同一長さｔ１）をして前記切り込み１３と同様に軸方向に長い板断面の切り込み２３を有している。その長い切り込み２３の前記軸方向の長さｔ２は、前記握り棒１１の端部１１ａの長さｔ１及び同切り込み１３の軸方向の長さｔ３より短く設定されている（ｔ２＜ｔ１、ｔ３）。
【００２２】
この取付治具２０を使用して係止片１４付固定部材１５を脚管１２に取り付けるには、図７（ａ）から同（ｂ）に示すように、切り込み２３に係止片１４を嵌入して固定部材１５を脚管１２に嵌入する（同図矢印）。すると、取付治具２０の端部段部２０ｂが脚管１２の端面に当接した際、切り込み２３の軸方向の長さｔ２が握り棒１１の端部１１ａの軸方向の長さｔ１より短く（ｔ２＜ｔ１）設定されているため、係止片１４の先端は脚管の端面より奥に位置する（没した状態となる）。
このとき、固定部材１５が円環状で脚管１２の内面にピッタリ嵌って同心となり、係止片１４は固定部材１５が形成する円環状の直径方向に位置するため、脚管１２に嵌められた係止片１４は同様に脚管１２の円形断面直径方向に位置する。
【００２３】
この状態を維持して、同図（ｃ）に示すように、脚管１２から取付治具２０を外し（離脱し）、同図（ｄ）に示すように、固定部材１５を溶接ｓによって脚管１２内面に固定する。その溶接は、固定部材１５の上縁で行い得るため、脚管１２の端部端縁から近くとなってその作業が容易である。溶接に代えてビス止めすることもできる（図８の符号１７参照）。
【００２４】
この図７（ｄ）の状態の脚管１２に、図５、図６に示すように、握り棒１１を係止片１４を切り込み１３に嵌入して嵌め込んで接続する。このとき、切り込み２３の軸方向の長さｔ２が握り棒１１の端部１１ａ及び切り込み１３の軸方向の長さｔ１、ｔ３より短く（ｔ２＜ｔ１、ｔ３）設定されているため、係止片１４は握り棒１１の切り込み１３内に収まって、両端部１１ａ、１２ａはその端面で当接して隙間が生じることがない。すなわち、見栄えの良い状態となる。
【００２５】
脚管１２の握り棒１１との反対端をドアＤに取付（固定）するには、従来の方法、例えば、特許文献２に示す、その端部にフランジを設けて、そのフランジをドアにビス止めしたり、脚管１２の端部１２ａ内にねじ孔付の鍔付円盤を溶接又はねじ止めし、図１に示すように、その円盤のねじ孔に取付ボルト１８をねじ込んだりして固定する。
このとき、切り込み１３と係止片１４は、握り棒１１及び脚管１２のそれぞれの円形断面の直径方向に位置するため、握り棒１１の両端の脚管１２のドアＤへの取付面（端面）は面一になっている。このため、この把持棒をドアＤにガタツクことなく取付け得る。
また、握り棒１１の端部１１ａの長さｔ１が所要の長さに設定してあるため、切り込み１３への係止片１４の嵌入によって、握り棒１１と脚管１２のその軸周りの相互回転が阻止され、握り棒１１と脚管１２の両端面の当接度合いが前記設定通りにされて、図１に示す、その両端部１１ａ、１１ａの間が設定の取付長さＬとなる。
【００２６】
係止片１４付の固定部材１５は、図８、図９に示すように、円環状固定部材１５に連接されたものとすることができる。この係止片１４と固定部材１５は、図９に示すように、先端幅広の帯片から製作する。すなわち、図９（ｂ）に示す帯片を切り抜き等によって製作し、その後、同図（ａ）に示すように、固定部材１５部分を円環状に折り曲げかつ湾曲する。その湾曲度合は、脚管１２の内面曲率程度とする。この実施形態では、係止片１４は固定部材１５が形成する円環状の直径方向に位置する。帯片の幅ｗは、同図（ｂ）鎖線で示すように、握り棒１１の端部１１ａの先端面に当たったりせず、又は円環状固定部材１５に端部１１ａが嵌る場合（図５参照）、係止片１４の高さを超えない範囲において任意である。
【００２７】
この実施形態の係止片１４付の固定部材１５も、図１０（ａ）〜同（ｄ）に示すように、上記実施形態と同様にして治具２０によって脚管１２の端部に嵌め込み、握り棒１１を係止片１４を切り込み１３に嵌入して嵌め込んで脚管１２に接続する。
【００２８】
図１１、図１２には、他の実施形態を示し、この実施形態は、上記握り棒１１の端部１１ａに直径上においてその軸方向の係止孔１３ａを複数形成し、固定部材１５の底１５ａには各係止孔１３ａにそれぞれ嵌入される係止杆１４ａを設けたものである。その係止杆１４ａは底１５ａにその端を嵌入して溶接したり、端面を当接させて溶接したりして底１５ａから突出させる。その係止杆１４ａの突出長さは、上記と同様に、固定部材１５の上縁と同程度とする。
この実施形態の係止杆１４ａ付の固定部材１５も、上記各実施形態と同様にして治具２０によって脚管１２の端部１２ａに嵌め込み、握り棒１１を係止杆１４ａを係止孔１３ａに嵌入して嵌め込んで脚管１２に接続する。このとき、治具２０は係止孔１３ａと同様な孔を有するものとする。
【００２９】
固定部材１５の底１５ａは、上記実施形態のように、開口の全域を塞ぐものでなくても良い。例えば、図１３（ａ）に示す、係止片１４を設け得る幅を有するブリッジ状であったり、同（ｂ）に示す、半月状であったりし得る。
また、固定部材１５と係止片１４（係止杆１４ａ）の高さは、脚管１２に嵌合ができれば任意であり、例えば、図１４に示す、係止片１４が高い態様であっても良い。この場合は、例えば、図８に示す接続態様とほぼ同様となる。
【００３０】
上記実施形態においては、切り込み１３（係止孔１３ａ）と係止片１４（係止杆１４ａ）を握り棒１１及び脚管１２のそれぞれの円形断面の直径方向に位置させたが、握り棒１１の両端の脚管１２のドアＤ等への取付面（端面）が面一になれば、切り込み１３及び係止片１４の方向、係止孔１３ａ及び係止杆１４ａの位置は、前記直径方向に限らず、半径方向にずれたり、周方向にずれたりさせることができる。また、切り込み１３は、端部１１ａの径方向両端が開口している必要はなく、一端又は両端が閉じていても良い。要は、径方向に長い板断面の切り込み１３であれば良い。しかし、図２の実施形態のように、切り込み１３の両端が端部１１ａの外周面に開口している形状がその製作性から好ましい。係止片１４はその切り込み１３の断面形状の扁平状長片であれば良く、例えば、図９（ａ）の鎖線で囲まれた長片等のように、切り込み１３の長さ（同図において左右方向の長さ）より短い形状とすることができる。
【００３１】
上記実施形態はドアＤの場合であったが、この発明に係る把持具１０は、ドアＤ以外に、階段等の手摺り等にも採用し得ることは勿論である。また、握り棒１１は木製であったが、プラスチック等の他の材料を使用することもできる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３２】
１０  把持具
１１  把持具の握り棒
１１ａ  同握り棒の端部
１１ｂ  同端部の段部
１２  把持具の脚管
１２ａ  同脚管の端部
１３  切り込み
１３ａ  係止孔
１４  係止片
１４ａ  係止杆
１５  固定部材
１５ａ  固定部材の底
１６  係止片の嵌入孔
１８  取付ボルト
２０  取付治具
２０ａ  取付治具の端部
２０ｂ  同端部の段部
２３  取付治具の切り込み
ｓ  溶接
ｔ１  握り棒端部の長さ
ｔ２  切り込み２３の長さ
ｔ３  切り込み１３（係止孔１３ａ）の長さ
【図１】
2017227107.tif 000003
【図２】
2017227107.tif 000004
【図３】
2017227107.tif 000005
【図４】
2017227107.tif 000006
【図５】
2017227107.tif 000007
【図６】
2017227107.tif 000008
【図７】
2017227107.tif 000009
【図８】
2017227107.tif 000010
【図９】
2017227107.tif 000011
【図１０】
2017227107.tif 000012
【図１１】
2017227107.tif 000013
【図１２】
2017227107.tif 000014
【図１３】
2017227107.tif 000015
【図１４】
2017227107.tif 000016
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
無垢の握り棒（１１）の両端にエルボ状脚管（１２）を接続した把持具（１０）において、前記握り棒（１１）の端部にその径方向に長い板断面の切り込み（１３）を軸方向に形成し、脚管（１２）には前記切り込み（１３）に嵌入される板状係止片（１４）を設け、その係止片（１４）を前記切り込み（１３）に嵌入して前記握り棒（１１）の端部（１１ａ）と脚管（１２）の端部（１２ａ）とを当接して接続されており、
上記係止片（１４）は、前記脚管（１２）内面に固定された固定部材（１５）から突出して設けられており、
上記固定部材（１５）は環状片からなって、その環状片（１５）は脚管（１２）内面に嵌め込んで固定され、上記係止片（１４）と環状固定部材（１５）は、一枚片を湾曲させて形成されていることを特徴とする把持具。